(57)【要約】【課題】視野角を意図的に制限することが可能な表示装置を提供する。【解決手段】有機ＥＬ発光素子２０（２０Ｒ，２０Ｇ，２０Ｂ）に対応する位置に、光Ｌを集光可能なマイクロレンズ５３Ｓを有するマイクロレンズシート５０と、有機ＥＬ発光素子２０の各発光色に対応する３色のカラーフィルタ５２（５２Ｒ，５２Ｇ，５２Ｂ）とを備えると共に、各有機ＥＬ発光素子２０間の非発光スペースＰに高反射性の補助電極３０を設ける。視野範囲Ａでは、有機ＥＬ発光素子２０において発生した光Ｌがマイクロレンズ５３Ｓにおいて集光され、有機ＥＬディスプレイと正対する方向に集中して放射されるため、表示画像を明瞭に視認可能となる。一方、視野範囲Ｂ〜Ｄでは、主にカラーフィルタ５２による選択的光透過作用ならびに補助電極３０による外光の反射作用を利用して画質が意図的に劣化するため、表示画像を視認しにくくなる。【選択図】　　図３
2004127662.tif 000002
【特許請求の範囲】
【請求項１】
画像表示用の光を発生させる複数の発光素子と、
各発光素子間に配置され、外光を反射させる複数の反射部材と、
各発光素子に対応して配置され、前記画像表示用の光を選択的に透過させる透過部材と、
この透過部材を挟んで前記複数の発光素子と反対側に配置され、前記画像表示用の光を集光させるための複数の集光部を有する光学部材と
を備えたことを特徴とする表示装置。
【請求項２】
前記透過部材は光学フィルタであり、
前記光学部材は、前記集光部としてマイクロレンズを有するマイクロレンズアレイである
ことを特徴とする請求項１記載の表示装置。
【請求項３】
前記発光素子は、光の３原色に対応した３色の光を発生させるものであり、
前記透過部材は、前記３色の光に対応した３色のカラーフィルタである
ことを特徴とする請求項２記載の表示装置。
【請求項４】
前記反射部材は、前記発光素子に電圧を印加するための印加用電極である
ことを特徴とする請求項１記載の表示装置。
【請求項５】
前記発光素子は、有機発光現象を利用して前記画像表示用の光を発生させるものである
ことを特徴とする請求項１記載の表示装置。
【請求項６】
前記発光素子は、
前記画像表示用の光を発生させる発光層と、この発光層を挟む２つの電極層とを含み、
前記発光層において発生した前記画像表示用の光を前記２つの電極層間で共振させる共振器構造を有するものである
ことを特徴とする請求項５記載の表示装置。
【発明の詳細な説明】
【０００１】
【発明の属する技術分野】
本発明は、例えば有機ＥＬディスプレイなどの表示装置に関する。
【０００２】
【従来の技術】
近年、多様な表示機構を備えたディスプレイが知られている。その中でも、有機発光（有機ＥＬ（Ｅｌｅｃｔｒｏ　Ｌｕｍｉｎｅｓｃｅｎｃｅ））現象を利用したフルカラー型の有機ＥＬディスプレイは、視野角が広く、駆動電圧が低く、かつ輝度が高い点で注目されている。このような利点に基づき、最近では、携帯電話やＰＤＡ（Ｐｅｒｓｏｎａｌ　Ｄｉｇｉｔａｌ　Ａｓｓｉｓｔａｎｔ）などに代表されるパーソナルユーズ向けの小型情報端末機器に有機ＥＬディスプレイを搭載する試みがなされている。
【０００３】
【発明が解決しようとする課題】
ところで、携帯電話やＰＤＡを使用するユーザーの間では、ディスプレイの表示内容を第三者に覗き見られることを防止するために、ユーザーのみが表示内容を明瞭に視認可能となるように、視野角を意図的に狭めて欲しいとの要望が高まっている。
【０００４】
しかしながら、従来の有機ＥＬディスプレイでは、上記した利点の１つである視野角の広さが裏目となり、ユーザーの要望通りに視野角を意図的に制限することが困難であった。携帯電話やＰＤＡの利用に際する情報漏洩防止ならびに今後の有機ＥＬディスプレイの市場普及を考慮すれば、視野角制御技術の確立は急務と言える。
【０００５】
なお、有機ＥＬディスプレイの表示性能を改善するための手法としては、例えば、光取り出し効率を向上させるために、有機ＥＬディスプレイにレンズ状構造物を搭載する手法が知られている（例えば、特許文献１参照。）。
【０００６】
【特許文献１】
特開平９−１７１８９２号公報（第３−４頁、第１図）
【０００７】
しかしながら、上記したレンズ構造物を搭載した有機ＥＬディスプレイでは、光取り出し効率を向上させ得るものの、その視野角の広さに起因して、視野角を意図的に制限することができない。
【０００８】
本発明はかかる問題点に鑑みてなされたもので、その目的は、視野角を意図的に制限することが可能な表示装置を提供することにある。
【０００９】
【課題を解決するための手段】
本発明の表示装置は、画像表示用の光を発生させる複数の発光素子と、各発光素子間に配置され、外光を反射させる複数の反射部材と、各発光素子に対応して配置され、画像表示用の光を選択的に透過させる透過部材と、この透過部材を挟んで複数の発光素子と反対側に配置され、画像表示用の光を集光させるための複数の集光部を有する光学部材とを備えたものである。
【００１０】
本発明の表示装置では、複数の発光素子において発生した画像表示用の光が、透過部材を選択的に透過し、引き続き複数の光学部材の集光部において集光されたのち、表示装置と正対する方向に集中して放射されるため、その正対する方向において画像を明瞭に視認可能となる。一方、表示装置と正対する方向以外の方向では、主に、透過部材による選択的な光透過作用ならびに反射部材による外光の反射作用を利用して画質が意図的に劣化されるため、画像を視認しにくくなる。
【００１１】
【発明の実施の形態】
以下、本発明の実施の形態について、図面を参照して詳細に説明する。
【００１２】
まず、図１を参照して、本発明の一実施の形態に係る表示装置としての有機ＥＬディスプレイの構成について説明する。図１は、有機ＥＬディスプレイの概略断面構成を表している。
【００１３】
この有機ＥＬディスプレイは、有機ＥＬ現象を利用して画像を表示するトップエミッション型のディスプレイであり、図１に示したように、一面に有機ＥＬ発光素子２０および補助電極３０が設けられた駆動基板１０と、マイクロレンズシート５０およびカバープレート６０よりなる積層構造体とが、例えばエポキシレジンなどよりなる封止樹脂層４０（約１０μｍ厚）を介して互いに貼り合わせられた構成をなしている。
【００１４】
駆動基板１０は、主に、有機ＥＬ発光素子２０に電圧を印加し、その有機ＥＬディスプレイ１０を発光させるためのものである。
【００１５】
有機ＥＬ発光素子２０は、有機ＥＬ現象を利用して発光することにより、画像表示用の光を発生させるものである。この有機ＥＬ発光素子２０は、光の３原色に対応した３色の光を発生させる３つの素子、すなわち赤色（Ｒｅｄ　）の光を発生させる有機ＥＬ発光素子２０Ｒ，緑色（Ｇｒｅｅｎ　）の光を発生させる有機ＥＬ発光素子２０Ｇ，青色（Ｂｌｕｅ）の光を発生させる有機ＥＬ発光素子２０Ｂをそれぞれ複数含んで構成されている。これらの有機ＥＬ発光素子２０Ｒ，２０Ｇ，２０Ｂは、駆動基板１０上にマトリクス状にパターン配列されている。なお、有機ＥＬ発光素子２０Ｒ，２０Ｇ，２０Ｂの詳細な構成については、後述する（図２参照）。
【００１６】
補助電極３０は、例えばアルミニウムなどの高導電性かつ高反射性材料により構成されており、各有機ＥＬ発光素子２０Ｒ，２０Ｇ，２０Ｂ間のスペース（非発光スペースＰ）に選択的に配置されている。この補助電極３０は、有機ＥＬ発光素子２０Ｒ，２０Ｇ，２０Ｂに電圧を印加するための印加用電極として機能すると共に、特に、有機ＥＬディスプレイに入射される例えば太陽光や室内光などの外光を反射させるための反射部材として機能するものである。補助電極３０の外光反射機能を確保する上で、その反射率は約５０％以上であることが望ましい。
【００１７】
マイクロレンズシート５０は、シート５１上に、カラーフィルタ５２と、マイクロレンズアレイ５３とがこの順に積層された構成をなしており、その総厚は約５０μｍ〜７０μｍ、具体的には約６０μｍである。
【００１８】
カラーフィルタ５２は、有機ＥＬ発光素子２０において発生した画像表示用の光を選択的に透過させ、それ以外の光の透過させないための透過部材であり、各有機ＥＬ発光素子２０Ｒ，２０Ｇ，２０Ｂに対応して配置された３色の光学フィルタ、すなわち赤色のカラーフィルタ５２Ｒ，緑色のカラーフィルタ５２Ｇ，青色のカラーフィルタ５２Ｂを含んで構成されている。
【００１９】
マイクロレンズアレイ５３は、画像表示用の光を集光させるための光学部材であり、各有機ＥＬ発光素子２０Ｒ，２０Ｇ，２０Ｂに対応して配置された複数の凸状のマイクロレンズ５３Ｓ（集光部）を含んで構成されている。各マイクロレンズ５３Ｓの表面には、外光の映り込みを防止するためにＡＲ（Ａｎｔｉ　Ｒｅｆｌｅｃｔｉｏｎ　）コート処理が施されている。マイクロレンズ５３Ｓの寸法は、例えば、レンズピッチが約５６μｍ，レンズ曲率半径が約３０μｍである。
【００２０】
カバープレート６０は、有機ＥＬ発光素子２０やマイクロレンズシート５０を含む積層構造物を外部から保護するための透明な保護部材であり、画像表示用の光の放射路に相当する。
【００２１】
次に、図２を参照して、有機ＥＬ発光素子２０の詳細な構成について説明する。図２は、有機ＥＬ発光素子２０Ｒ，２０Ｇ，２０Ｂの断面構成を拡大して表している。なお、図２では、駆動基板１０ならびに有機ＥＬ発光素子２０Ｒ，２０Ｇ，２０Ｂ以外の構成要素の図示を省略している。
【００２２】
有機ＥＬ発光素子２０Ｒ，２０Ｇ，２０Ｂは、例えば、いずれも２つの電極間で光を共振させることにより光の多重干渉現象を利用した一種の狭帯域フィルタとして機能し、光の色純度を向上させることが可能な光共振器構造を有している。
【００２３】
すなわち、有機ＥＬ発光素子２０Ｒは、例えば、下部電極層２１Ｒ上に、正孔輸送層２２Ｒと、発光層２３Ｒと、電子輸送層２４Ｒと、上部電極層２５Ｒとがこの順に積層された構成をなしている。下部電極層２１Ｒは、本来の電極としての機能と共に、発光層２３Ｒにおいて発生した光を反射させるための反射層としての機能も兼ねており、例えば、白金（Ｐｔ），金（Ａｕ），クロム（Ｃｒ）またはタングステン（Ｗ）などの金属材料または合金材料により構成されている。正孔輸送層２２Ｒは、発光層２３Ｒへの正孔注入効率を高め、かつ正孔注入層としての機能も兼ねるものであり、例えば、ビス［（Ｎ−ナフチル）−Ｎ−フェニル］ベンジジン（α−ＮＰＤ）により構成されている。発光層２３Ｒは、電流注入に応じて赤色の光を発生させるものであり、例えば、２，５−ビス［４−［Ｎ−（４−メトキシフェニル）−Ｎ−フェニルアミノ］］スチリルベンゼン−１，４−ジカーボニトリル（ＢＳＢ）により構成されている。電子輸送層２４Ｒは、発光層２３Ｒへの電子注入効率を高めるためのものであり、例えば、８−キノリノールアルミニウム錯体（Ａｌｑ３　）により構成されている。上部電極層２５Ｒは、例えば、アルミニウム（Ａｌ），マグネシウム（Ｍｇ），カルシウム（Ｃａ）またはナトリウム（Ｎａ）などの金属材料または合金材料により構成されている。
【００２４】
有機ＥＬ発光素子２０Ｇは、例えば、下部電極層２１Ｇ上に、正孔輸送層２２Ｇと、発光層２３Ｇと、上部電極層２５Ｇとがこの順に積層された構成をなしている。下部電極層２１Ｇおよび上部電極層２５Ｇは、例えば、有機ＥＬ発光素子２０Ｒの下部電極層２１Ｒおよび上部電極層２５Ｒとそれぞれ同様の構成をなしている。正孔輸送層２２Ｇは、発光層２３Ｇへの正孔注入効率を高め、かつ正孔注入層としての機能も兼ねるものであり、例えば、α−ＮＰＤにより構成されている。発光層２３Ｇは、電流注入に応じて緑色の光を発生させ、かつ電子輸送層としての機能も兼ねるものであり、例えば、Ａｌｑ３　にクマリン６（Ｃ６；Ｃｏｕｍａｒｉｎ６　）を約１体積％混合してなる混合物により構成されている。
【００２５】
有機ＥＬ発光素子２０Ｂは、例えば、下部電極層２１Ｂ上に、正孔輸送層２２Ｂと、発光層２３Ｂと、電子輸送層２４Ｂと、上部電極層２５Ｂとがこの順に積層された構成をなしている。下部電極層２１Ｂおよび上部電極層２５Ｂは、例えば、下部電極層２１Ｒおよび上部電極層２５Ｒとそれぞれ同様の構成をなしている。正孔輸送層２２Ｂは、発光層２３Ｂへの正孔注入効率を高め、かつ正孔注入層としての機能も兼ねるものであり、例えば、α−ＮＰＤにより構成されている。発光層２３Ｂは、電流注入に応じて青色の光を発生させるものであり、例えば、４，４−ビス（２，２−ジフェニル−エテン−１−イル）ビフェニル（ＤＰＶＢｉ）により構成されている。電子輸送層２４Ｂは、発光層２３Ｂへの電子注入効率を高めるためのものであり、例えば、Ａｌｑ３　により構成されている。
【００２６】
次に、図１〜図４を参照して、有機ＥＬディスプレイの画像表示に関する作用について説明する。図３は視野範囲と視認性との関係，図４は画像表示用の光Ｌ（以下、単に「光Ｌ」という）の放射機構をそれぞれ説明するためのものである。なお、図４では、光Ｌの光路を見やすくするために、カバープレート６０の図示を省略している。
【００２７】
この有機ＥＬディスプレイでは、表示画像を見る角度（図３に示した視野範囲Ａ〜Ｄ）に応じて画像の視認性が異なる。
【００２８】
有機ＥＬディスプレイを使用する使用者がその有機ＥＬディスプレイに対して正対する方向（以下、単に「正対方向」という）、すなわち光学的に有機ＥＬ発光素子２０（例えば２０Ｇ）に対応する視野範囲Ａでは、表示画像を明瞭に視認可能となる。すなわち、図４に示したように、有機ＥＬ発光素子２０Ｇにおいて光Ｌが発生すると、その光Ｌは、シート５１およびカラーフィルタ５２Ｇを透過したのち、マイクロレンズ５３Ｓにおいて集光されることにより、平行光線として外部に放射される。この際、例えば、有機ＥＬ発光素子２０Ｇの中央部において発生した光Ｌ（Ｌ１）は、マイクロレンズ５３Ｓにおいて正対方向に集光される。また、例えば、有機ＥＬ発光素子２０Ｇの一端部において発生した光Ｌ（Ｌ２）は、マイクロレンズ５３Ｓにおいて、正対方向から僅かに傾いた方向へ集光される。なお、有機ＥＬ発光素子２０Ｇの他端部において発生した光もまた、一端部において発生した光Ｌ２と同様に、正対方向から僅かに傾いた方向へ集光される（図示せず）。これらのことから、有機ＥＬ発光素子２０Ｇにおいて発生した光Ｌは、素子上のいずれの位置で発生した場合においても、全体として正対方向近傍に向けて集中して放射される。この視野範囲Ａにおける光Ｌが、使用者に画像として視認される。
【００２９】
特に、視野範囲Ａでは、有機ＥＬ発光素子２０Ｇが光共振器構造を有し、その発光波長近傍での反射率が低下していると共に、カラーフィルタ５２Ｇの存在により、緑色の光に対して選択的な透過性が得られるため、正対方向において外光の反射率が極めて小さくなる。これにより、視野範囲Ａでは、画像として視認される光Ｌの発光強度（輝度）が大きくなり、画像を不明瞭にする一因となる外光の反射強度が小さくなる。
【００３０】
一方、正対方向以外の方向に対応する視野範囲Ｂ〜Ｄでは、表示画像の画質が意図的に劣化されるため、画像を視認しにくくなる。
【００３１】
すなわち、光学的に有機ＥＬ発光素子２０Ｇ，２０Ｒ間の非発光スペースＰに対応する視野範囲Ｂでは、この非発光スペースＰにおいて共振波長が長くなり、これにより可視光の反射率が高くなると共に、特に、非発光スペースＰに高反射性の補助電極３０が配置されているため、外光の反射量が大きくなる。これにより、視野範囲Ｂでは、有機ＥＬ発光素子２０の発光強度に対して外光の反射強度が大きくなるため、画像のコントラストが低下する。
【００３２】
光学的に有機ＥＬ発光素子２０Ｇの隣りの有機ＥＬ発光素子２０Ｒに対応する視野範囲Ｃでは、主に、緑色のカラーフィルタ５２Ｇ越しに、有機ＥＬ発光素子２０Ｒにおいて発生した赤色の光を視認することとなる。この場合には、フィルタ色と発光色とが異なるため、赤色の光の多くがカラーフィルタ５２Ｇにおいて吸収されてしまう。これにより、視野範囲Ｃでは、有機ＥＬ発光素子２０の見かけの発光強度が低下するため、画像が暗くなる。
【００３３】
視野範囲Ｄは、視野範囲Ｂと同様に光学的に補助電極３０の配設位置に対応するため、有機ＥＬ発光素子２０の発光強度に対して外光の反射強度が大きくなり、画像のコントラストが低下する。
【００３４】
特に、視野範囲Ｂ〜Ｄでは、有機ＥＬ発光素子２０から放射される光Ｌの放射角度（正対方向に対する放射方向の傾き角度）が大きくなるほど、光共振構造の実効共振波長が短くなる。これにより、反射率の低い波長の光が短波長化し、その光の波長がカラーフィルタ５２の吸収波長から外れてしまうため、この観点においても外光の反射強度が大きくなる。
【００３５】
なお、上記した有機ＥＬ発光素子２０Ｇに基づく画像表示に関する作用は、他の有機ＥＬ発光素子２０Ｒ，２０Ｂについても同様である。
【００３６】
次に、図５および図６を参照して、上記した視野範囲と視認性との関係を実証するデータについて説明する。図５および図６は有機ＥＬディスプレイの輝度分布を表すものであり、図５はマイクロレンズシート５０を備えていない比較例としての有機ＥＬディスプレイ，図６はマイクロレンズシート５０を備えた本実施の形態の有機ＥＬディスプレイについてそれぞれ示している。なお、両図中の「縦軸」は輝度，「横軸」は視野角（ｔａｎθ＝−２，０，＋２）をそれぞれ示していると共に、両図中に示したデータは、いずれもカラーフィルタ５２を利用していない場合の測定値である。
【００３７】
マイクロレンズシート５０を備えていない比較例では、図５に示したように、視野角全体に渡って輝度がブロードに分布する。この場合には、正対方向（ｔａｎθ＝０）以外の方向においても輝度が得られるため、正対方向以外の方向から表示画像を視認可能となる。
【００３８】
これに対して、マイクロレンズシート５０を備えた本実施の形態では、図６に示したように、正対方向を挟んだ両側（領域Ｒ１）において、輝度が部分的に著しく低下する。この場合には、領域Ｒ１に対応する方向において十分な輝度が得られないため、有機ＥＬディスプレイの表示画像を視認しにくくなる。
【００３９】
なお、カラーフィルタ５２を備えていない有機ＥＬディスプレイでは、図６に示したように、正対方向以外の方向における領域Ｒ２において依然として輝度が得られるため、この領域Ｒ２に対応する方向において表示画像を視認可能となる。しかしながら、有機ＥＬディスプレイにカラーフィルタ５２を搭載すれば、カラーフィルタ５２による選択的な光透過特性を利用して領域Ｒ２の輝度が低下するため、領域Ｒ２に対応する方向においても表示画像を視認しにくくすることが可能となる。
【００４０】
以上説明したように、本実施の形態に係る有機ＥＬディスプレイでは、有機ＥＬ発光素子２０（２０Ｒ，２０Ｇ，２０Ｂ）に対応する位置に、光Ｌを集光可能なマイクロレンズ５３Ｓを有するマイクロレンズシート５０と、有機ＥＬ発光素子２０の各発光色に対応する３色のカラーフィルタ５２（５２Ｒ，５２Ｇ，５２Ｂ）とを備えると共に、有機ＥＬ発光素子２０間に高反射性の補助電極３０を設けるようにしたので、「有機ＥＬディスプレイの画像表示に関する作用」として上記したように、正対方向では外光の反射強度よりも有機ＥＬ発光素子２０の発光強度が大きくなり、正対方向以外の方向では外光の反射強度よりも有機ＥＬ発光素子２０の発光強度が小さくなる。これにより、正対方向において表示画像を明瞭に視認可能となる一方、正対方向以外の方向において画質が意図的に劣化し、表示画像を視認しにくくなる。したがって、視野角を意図的に制限し、第三者により正対方向以外の方向から表示画像を覗き込まれることを防止することができる。
【００４１】
また、本実施の形態では、主にマイクロレンズ５３Ｓの集光作用に基づいて、有機ＥＬ発光素子２０において発生した光Ｌが正対方向に集中するため、十分な光Ｌの光量が得られる。したがって、表示画像の輝度を確保し、鮮明な画像を表示することができる。
【００４２】
さらに、本実施の形態では、マイクロレンズ５３Ｓの集光作用に基づいて光Ｌが正対方向に集中するため、相対的に正対方向以外の方向に放射される光Ｌの放射量が少なくなる。したがって、画像として視認されるために必要な光Ｌの光量ロスが少なくなるため、高画質を確保しつつ、有機ＥＬディスプレイの低消費電力化を図ることができる。その上、本実施の形態では、低消費電力化の実現に基づき、有機ＥＬディスプレイの長寿命化、電池容量の小型化ならびに軽量化も図ることができる。
【００４３】
以上、実施の形態を挙げて本発明を説明したが、本発明は上記実施の形態に限定されるものではなく、種々変形可能である。
【００４４】
具体的には、例えば、上記実施の形態では、外光を反射させるための反射部材として、有機ＥＬ発光素子２０（２０Ｒ，２０Ｇ，２０Ｂ）間の非発光スペースＰに元々配置されている補助電極３０を利用するようにしたが、必ずしもこれに限られるものではなく、例えば、補助電極３０と同様に高反射性を有する他の部品やデバイスなどを非発光スペースＰに新たに設けるようにしてもよい。この場合においても、新たに設けた部品やデバイスにおいて外光を反射させることが可能な限り、上記実施の形態と同様の効果を得ることができる。
【００４５】
また、上記実施の形態では、シート５１およびマイクロレンズアレイ５３と共にカラーフィルタ５２を含んでマイクロレンズシート５０を構成するようにしたが、必ずしもこれに限られるものではなく、例えば、カラーフィルタ５２を含まず、シート５１およびマイクロレンズアレイ５３のみを含んでマイクロレンズシート５０を構成するようにしてもよい。この場合には、構成部品数が少なくなるため、有機ＥＬディスプレイの構成を簡略化することができる。
【００４６】
また、上記実施の形態では、有機ＥＬ現象を利用して画像を表示する有機ＥＬディスプレイについて本発明を適用する場合について説明したが、必ずしもこれに限られるものではなく、有機ＥＬディスプレイ以外の自発光型のディスプレイについても本発明を適用可能である。
【００４７】
【発明の効果】
以上説明したように、請求項１ないし請求項６のいずれか１項に記載の表示装置によれば、複数の発光素子において発生した画像表示用の光を集光するための複数の集光部を有する光学部材と、画像表示用の光を選択的に透過させるための透過部材と、各発光素子間に配置された複数の反射部材とを備えるようにしたので、光学部材による集光作用、透過部材による選択的光透過作用、ならびに反射部材による外光の反射作用を利用して、表示装置（発光素子）と正対する方向において表示画像を明瞭に視認可能となる一方、それ以外の方向において画質が意図的に劣化し、表示画像を視認しにくくなる。したがって、視野角を意図的に制限し、表示装置に正対する方向以外の方向から第三者により表示画像を覗き込まれることを防止することができる。
【図面の簡単な説明】
【図１】本発明の一実施の形態に係る有機ＥＬディスプレイの概略断面構成を表す断面図である。
【図２】有機ＥＬ発光素子の断面構成を拡大して表す断面図である。
【図３】視野範囲と視認性との関係を説明するための断面図である。
【図４】画像表示用の光の放射機構を説明するための断面図である。
【図５】有機ＥＬディスプレイ（マイクロレンズシートなし）の輝度分布を表す図である。
【図６】有機ＥＬディスプレイ（マイクロレンズシートあり）の輝度分布を表す図である。
【符号の説明】
１０…駆動基板、２０（２０Ｒ，２０Ｇ，２０Ｂ）…有機ＥＬ発光素子、２１Ｒ，２１Ｇ，２１Ｂ…下部電極層、２２Ｒ，２２Ｇ，２２Ｂ…正孔輸送層、２３Ｒ，２３Ｇ，２３Ｂ…発光層、２４Ｒ，２４Ｇ…電子輸送層、２５Ｒ，２５Ｇ，２５Ｂ…上部電極層、３０…補助電極、４０…封止樹脂層、５０…マイクロレンズシート（５１…シート、５２（５２Ｒ，５２Ｇ，５２Ｂ）…カラーフィルタ、５３…マイクロレンズアレイ）、５３Ｓ…マイクロレンズ、６０…カバープレート、Ａ〜Ｄ…視野範囲、Ｌ…画像表示用の光、Ｐ…非発光スペース。
【図１】
2004127662.tif 000003
【図２】
2004127662.tif 000004
【図３】
2004127662.tif 000005
【図４】
2004127662.tif 000006
【図５】
2004127662.tif 000007
【図６】
2004127662.tif 000008